(57)【特許請求の範囲】
【請求項１】
店舗販売時点情報管理システムであって、
クレードル、埋め込みホスト、及びカードリーダを支えるフレームを含み、
前記カードリーダは前記フレームに埋め込まれているものであり、前記クレードルは、タブレットコンピュータに結合するためのデータコネクタを含み、前記タブレットコンピュータを支持するものであり、
前記埋め込みホストは、前記データコネクタに結合され、前記タブレットコンピュータと通信するように構成され、プロセッサを含むものであり、
前記カードリーダは、前記埋め込みホストに結合されており、
前記埋め込みホストは、前記カードリーダからの信号を前記タブレットコンピュータに導き、前記カードリーダからカードデータを受信し、前記カードデータを前記タブレットコンピュータに送信するように構成され、
前記フレームは、第１の部分、第２の部分及び底部を含み、前記底部は前記第１の部分と前記第２の部分の間に水平に広がるものであり、
前記第１の部分は前記底部の第１の端部から垂直に伸びており、前記第２の部分は前記底部の第２の端部から垂直に伸びており、前記フレームの前記第２の部分は前記タブレットコンピュータを支持する前記クレードルに接続されている、ことを特徴とするシステム。
【請求項２】
前記タブレットコンピュータと通信するように構成されたチップセットと、
前記チップセットを前記埋め込みホストに結合するように構成されたモバイルデバイスポートと、
電力を受け取るためのコネクタと、
前記チップセットと、前記モバイルデバイスポートと、前記電力を受け取るための前記コネクタとを取り囲むエンクロージャと、
を含むハブを備える、
ことを特徴とする請求項１に記載のシステム。
【請求項３】
前記ハブの前記エンクロージャは、前記チップセットをプリンタに結合するように構成されたプリンタポートを含む、
ことを特徴とする請求項２に記載のシステム。
【請求項４】
前記ハブの前記エンクロージャは、前記チップセットをドロワに結合するように構成されたドロワポートをさらに含む、
ことを特徴とする請求項２に記載のシステム。
【請求項５】
前記埋め込みホストは、前記ドロワを開閉するように構成される、
ことを特徴とする請求項４に記載のシステム。
【請求項６】
前記埋め込みホストは、前記ドロワが開いているか、それとも閉じているかを追跡するように構成される、
ことを特徴とする請求項４に記載のシステム。
【請求項７】
前記カードリーダは、フレックス回路を含む、
ことを特徴とする請求項１に記載のシステム。
【請求項８】
前記カードリーダは、磁気ストライプリーダを含む、
ことを特徴とする請求項７に記載のシステム。
【請求項９】
前記磁気ストライプリーダは、第１の読取ヘッド及び第２の読取ヘッドを含み、前記第１の読取ヘッド及び前記第２の読取ヘッドは、前記フレックス回路に取り付けられる、
ことを特徴とする請求項８に記載のシステム。
【請求項１０】
前記フレックス回路は、水平な第１の部分と、スロットの片側で延びる垂直な第２の部分と、前記スロットの逆側で延びる垂直な第３の部分とを含み、前記第１の読取ヘッドは、前記フレックス回路の前記第１の部分又は第２の部分に取り付けられ、前記第２の読取ヘッドは、前記フレックス回路の前記第３の部分に取り付けられる、
ことを特徴とする請求項９に記載のシステム。
【請求項１１】
前記読取ヘッドは、暗号化磁気ヘッドリーダを含む、
ことを特徴とする請求項９に記載のシステム。
【請求項１２】
前記暗号化磁気ヘッドリーダは、前記第１の読取ヘッドに隣接して前記フレックス回路に取り付けられた第１の暗号化チップと、前記第２の読取ヘッドに隣接して前記フレックス回路に取り付けられた第２の暗号化チップとを含む、
ことを特徴とする請求項１１に記載のシステム。
【請求項１３】
前記第１の暗号化チップと前記第１の読取ヘッドは、第１のポッティングによって封止され、前記第２の暗号化チップと前記第２の読取ヘッドは、第２のポッティングによって封止される、
ことを特徴とする請求項１２に記載のシステム。
【請求項１４】
電力を受け取るための前記コネクタは電力コードを含む請求項１に記載のシステム。
【請求項１５】
前記タブレットコンピュータを前記クレードルから取り外した後に、前記埋め込みホスト及び前記カードリーダは前記フレームによって支持されたままである請求項１に記載の店舗販売時点情報管理システム。
【請求項１６】
前記カードリーダは、前記底部の前記第１の端部から垂直に伸びる前記フレームの前記第１の部分の上部表面上に形成される請求項１に記載の店舗販売時点情報管理システム。
【請求項１７】
前記クレードルを前記フレームの前記第２の部分に接続する水平の支柱を更に含む請求項１に記載の店舗販売時点情報管理システム。
【請求項１８】
店舗販売時点情報管理システムであって、
販売業者アプリケーションを含むタブレットコンピュータと、
前記タブレットコンピュータを支持するクレードルと、該クレードルを支持するフレームとを含むスタンドと、
を備え、前記クレードルは、前記タブレットコンピュータの表面が傾斜角を成した状態で前記タブレットコンピュータを解放可能に支持するとともに、前記タブレットコンピュータのデータポートに結合するデータコネクタを含み、前記スタンドは、販売業者に対面するための第１の物理的配向と顧客に対面するための第２の物理的配向の間で垂直軸を中心に前記スタンドを回転可能とするベースによって支持されており、前記店舗販売時点情報管理システムは、
前記スタンドに埋め込まれたカードリーダをさらに備え、
前記第１の物理的配向において、前記販売業者アプリケーションは、顧客に購入されている品目を識別して前記品目についての支払総額を計算できるようにする第１のユーザインターフェイスを前記タブレットコンピュータの画面上に表示するように構成され、
前記第２の物理的配向において、前記販売業者アプリケーションは、前記顧客が取引を承認できるようにする第２のユーザインターフェイスを前記タブレットコンピュータの前記画面上に表示するように構成され、
前記フレームは、第１の部分、第２の部分及び底部を含み、前記底部は前記第１の部分と前記第２の部分の間に水平に広がるものであり、
前記第１の部分は前記底部の第１の端部から垂直に伸びており、前記第２の部分は前記底部の第２の端部から垂直に伸びており、前記フレームの前記第２の部分は前記タブレットコンピュータを支持する前記クレードルに接続されている、ことを特徴とする店舗販売時点情報管理システム。
【請求項１９】
前記第２のユーザインターフェイスは、前記カードリーダにカードを挿入するように前記顧客を促す、
ことを特徴とする請求項１８に記載の店舗販売時点情報管理システム。
【請求項２０】
前記第２のユーザインターフェイスは、署名又は暗証番号（ＰＩＮ）の入力を行うように前記顧客を促す、
ことを特徴とする請求項１８に記載の店舗販売時点情報管理システム。
【発明の詳細な説明】
【技術分野】
【０００１】
本開示は、タブレットコンピュータのためのスタンド、キャッシュレジスタドロワ、並びに電子及びソフトウェアアーキテクチャを含む、店舗販売時点情報管理システムのための装置に関する。
【背景技術】
【０００２】
販売業者は、支払取引を行うために店舗販売時点情報管理システムを使用する。典型的な店舗販売時点情報管理システムは、支払カード（例えば、デビット又はクレジットカード）のためのカードリーダ及びキャッシュドロワを含む。
【０００３】
顧客がクレジットカードによって支払いを行う場合には、販売業者が取引金額を入力し、販売業者又は顧客がクレジットカードをカードリーダに通す。多くの取引では、顧客が物理的レシートに署名し、例えば、ユーザインターフェイス上の承認ボタンを押すことによって電子的に取引を承認し、タッチセンサ式パッド付きの電子署名キャプチャ装置にスタイラス又は指などで取引のための署名を電子的に行い、又は承認用の暗証番号（ＰＩＮ）を入力する必要がある。
【０００４】
或いは、顧客が現金で支払いを行う場合には、販売業者が現金を受け取ってキャッシュドロワに入れる。販売業者は、プリンタを使用して、取引内容を詳述したレシートを印刷することができる。
【０００５】
店舗販売時点情報管理システムの中には、販売業者が製品上のバーコードをスキャンできるようにバーコードリーダを含むものもある。店舗販売時点情報管理システム内のコンピュータは、このバーコードから製品及び価格を識別することができる。１回の取引で複数の製品が購入される場合、このコンピュータは、消費税を含む総取引金額を計算することもできる。
【先行技術文献】
【特許文献】
【０００６】
【特許文献１】米国特許出願第６１／５６３，０２２号明細書
【発明の概要】
【発明が解決しようとする課題】
【０００７】
上述したように、従来の店舗販売時点情報管理システムは、コンピュータ、キャッシュドロワ、レシートプリンタ、ディスプレイ及びバーコードリーダを含むことができる。店舗販売時点情報管理システムは、（取引での操作がキーに表記された）特殊なキーボードを含むことも多い。一般に、店舗販売時点情報管理システムは大型かつ高価になりがちである。
【課題を解決するための手段】
【０００８】
これらの問題の一部には、タブレットコンピュータを支持するスタンドを含む店舗販売時点情報管理システムを用いて対処することができる。このタブレットコンピュータは、店舗販売時点情報管理システムの標準的な機能を提供するための販売業者アプリケーションを実行して、一般に店舗販売時点情報管理システムを軽量かつポータブルなものにし、キーボードなどの様々なコンポーネントの必要性を排除することができる。スタンドは、販売業者又は顧客のいずれかを向くように回転自在とすることができ、従って顧客用の別個のディスプレイ装置の必要性が排除される。スタンドは、カードリーダを内蔵することができ、別個のカード読取装置の必要性を排除する。タブレットコンピュータは、制御可能なキャッシュドロワ、プリンタ及び／又はバーコードリーダなどの他の周辺コンポーネントにハブを通じて接続することができる。
【０００９】
１つの態様では、タブレットコンピュータを支持するためのスタンドが、水平に延びる底部と、この底部の前端部から垂直に延びる前部と、底部の後端部から垂直に延びる後部とを含むフレームと、フレームの後部に取り付けられて、タブレットコンピュータの表面が底部に対して傾斜角を成した状態でタブレットコンピュータを解除可能に支持するように構成されたクレードルとを備え、フレームの前端部の上面は、クレードルの下端部よりも低い位置に存在し、クレードルは、タブレットコンピュータのデータポートに結合するように構成されたデータコネクタを含み、上記スタンドは、タブレットコンピュータの表面によって定められる平面内の水平軸に平行な垂直スロットをフレームの前部に含むカードリーダと、カードリーダからの信号をデータコネクタに向けるように構成された回路とをさらに備える。
【００１０】
実装は、以下の特徴の１つ又はそれ以上を含むことができる。カードリーダは、カードストライプリーダ又はカードチップリーダを含むことができる。後部には、近距離無線通信カードリーダを配置することができる。垂直スロットは、前部の幅全体にわたって延びることができる。傾斜角は、約４０°〜６５°とすることができる。クレードルは、フレームの後部に枢動自在に取り付けられるとともに、水平軸を中心に回転可能とすることができ、スロットは、水平軸と平行に延びることができる。フレームはベース部によって支持することができ、フレームは、ベース部に枢動自在に取り付けられるとともに、ベース部に対して垂直軸を中心に回転可能とすることができる。フレームは、垂直軸を中心に第１の配向と第２の配向の間で回転可能とすることができる。第１の配向は、第１の配向に対して１８０°の角度を成すことができる。フレームは、戻り止め機構によって第１の配向及び第２の配向に保持することができる。停止部により、フレームが第１の配向を越えて回転すること、及び第２の配向を越えて回転することを防ぐことができる。ベース部内の配線を、電力を受け取るように構成することができ、この配線は、回路に電気的に接続されてデータコネクタに電力を供給することができ、フレームが垂直軸を中心に回転した時にも動かない。この配線は、ケーブルによって回路に接続することができ、このケーブルは、ベース部内の第１の固定開口部と、フレームと共に回転する第２の開口部との間に延びることができる。配線は、ベース部から延びるデータ及び電源ケーブルを含むことができる。機械式ファスナを受け入れるようにアパーチャを構成することもできる。スタンドは、テーブル又はカウンタ上に位置することができ、ファスナは、テーブル又はカウンタ内の穴を通じてアパーチャ内に延び、スタンドをテーブル又はカウンタに固定する。アパーチャは、垂直軸に位置合わせすることができる。フレームは、回転自在な環状ベアリングによってベース部に枢動自在に取り付けることができ、アパーチャは、このベアリングを通じ開口部を通じて延びることができる。クレードルは、タブレットコンピュータのオーディオポートに合致するように構成されたネジ穴を含むことができる。このネジ穴にはネジを挿入することができ、このネジは、オーディオポート内に延びる部分を有することができる。ネジ穴は、フレームのデータコネクタとは逆側に位置することができる。フレームは、タブレットコンピュータがクレードル上に支持された状態のスタンドの重心がクレードルの下端部の前方にくるように重量決めすることができる。フレームは、第１の材料のシェルと、第１の材料よりも高密度な第２の材料の物体とを含むことができ、この物体は、シェル内のフレームの底部に位置することができる。
【００１１】
別の態様では、タブレットコンピュータを支持するためのスタンドが、ベース部と、このベース部上に支持され、ベース部に枢動自在に取り付けられて垂直軸を中心に第１の配向と第２の配向の間でベース部に対して回転する、水平に延びる底部及びこの底部の後端部から垂直に延びる後部を含むフレームと、フレームの後部に枢動自在に取り付けられて水平軸を中心に回転し、タブレットコンピュータの表面が底部に対して傾斜角を成した状態でタブレットコンピュータを取り外し可能に支持するように構成された、タブレットコンピュータのデータポートに結合するように構成されたデータコネクタを含むクレードルと、データポートを通じてタブレットコンピュータに電力を供給するように構成された回路とを備える。
【００１２】
別の態様では、タブレットコンピュータを支持するためのスタンドが、ベース部と、このベース部上に支持され、ベース部に枢動自在に取り付けられて垂直軸を中心に第１の配向と第２の配向の間でベース部に対して回転する、水平に延びる底部及びこの底部の後端部から垂直に延びる後部を含むフレームと、フレームの後部に枢動自在に取り付けられて水平軸を中心に回転し、タブレットコンピュータの表面が底部に対して傾斜角を成した状態でタブレットコンピュータを取り外し可能に支持するように構成された、タブレットコンピュータのデータポートに結合するように構成されたデータコネクタを含むクレードルと、データポートを通じてタブレットコンピュータに電力を供給するように構成された回路と、この回路に電気的に接続されて、フレームが垂直軸を中心に回転した時にも動かない配線とを備える。
【００１３】
別の態様では、タブレットコンピュータを支持するためのスタンドが、水平に延びる底部と、この底部の後端部から垂直に延びる後部とを含むフレームと、フレームの後部に取り付けられて、タブレットコンピュータの表面が底部に対して傾斜角を成した状態でタブレットコンピュータを取り外し可能に支持するように構成されたクレードルとを備え、クレードルは、タブレットコンピュータのデータポートに結合するように構成されたデータコネクタと、タブレットコンピュータのオーディオポートに合致するように構成された穴とを含み、上記スタンドは、この穴に挿入されてタブレットコンピュータのオーディオポート内に延びる部分を有するファスナと、データポートを通じてタブレットコンピュータに電力を供給するように構成された回路とをさらに備える。
【００１４】
別の態様では、店舗販売時点情報管理システムが、タブレットコンピュータに結合するためのデータコネクタを含む、タブレットコンピュータを支持するためのクレードルと、データコネクタに結合されて、タブレットコンピュータと通信するように構成された、プロセッサを含む埋め込みホストと、埋め込みホストに結合されたカードリーダと、これらのクレードル、埋め込みホスト及びカードリーダを支持するためのフレームとを備える。
【００１５】
実装は、以下の特徴の１つ又はそれ以上を含むことができる。ハブは、タブレットコンピュータと通信するように構成されたチップセットと、このチップセットを埋め込みホストに結合するように構成されたモバイルデバイスポートと、電力を受け取るためのコネクタと、これらのチップセット、モバイルデバイスポート及び電力を受け取るためのコネクタを取り囲むエンクロージャとを含むことができる。ハブエンクロージャは、チップセットをプリンタに結合するように構成されたプリンタポートを含むことができる。ハブエンクロージャは、チップセットをドロワに結合するように構成されたドロワポートをさらに含むことができる。埋め込みホストは、ドロワを開閉するように構成することができる。埋め込みホストは、ドロワが開いているか、それとも閉じているかを追跡するように構成することができる。カードリーダは、フレックス回路を含むことができる。カードリーダは、磁気ストライプリーダとすることができる。磁気ストライプリーダは、第１の読取ヘッド及び第２の読取ヘッドを含むことができ、第１の読取ヘッド及び第２の読取ヘッドは、フレックス回路に取り付けられる。フレックス回路は、水平な第１の部分と、スロットの片側で延びる垂直な第２の部分と、スロットの逆側で延びる垂直な第３の部分とを含むことができる。第１の読取ヘッドは、フレックス回路の第２の部分に取り付けることができ、第２の読取ヘッドは、フレックス回路の第３の部分に取り付けることができる。暗号化磁気ヘッドリーダは、第１の読取ヘッドに隣接してフレックス回路に取り付けられた第１の暗号化チップと、第２の読取ヘッドに隣接してフレックス回路に取り付けられた第２の暗号化チップとを含むことができる。第１の暗号化チップと第１の読取ヘッドは、第１のポッティングによって封止することができ、第２の暗号化チップと第２の読取ヘッドは、第２のポッティングによって封止することができる。読取ヘッドは、暗号化磁気ヘッドリーダを含むことができる。電力を受け取るためのコネクタは、電源コードとすることができる。
【００１６】
別の態様では、店舗販売時点情報管理システムのためのキャッシュドロワが、前面と、後面と、第１の側面と、第２の側面と、底面と、これらの第１の側面、第２の側面、前面、後面及び底面に取り付けられた内部シェルと、内部シェルに覆われて第１及び第２の側面と平行に延びる２つのスライドレールとを含むスライド式ドロワと、ドロワが閉鎖位置と開放位置と閉鎖位置との間で摺動可能になるようにレールを摺動自在に支持するための２つのレール支持体を有するドロワエンクロージャと、スライド式ドロワを閉鎖位置に保持する第１の位置と第２の位置との間で移動可能なラッチと、ラッチを第１の位置から第２の位置にソレノイド移動させるように構成されたアクチュエータとを含む。
【００１７】
実施は、以下の特徴の１つ又はそれ以上を含むことができる。アクチュエータは、ソレノイドとすることができる。回路は、ドロワが開いているか、それとも閉じているかを示す信号を外部ポートに出力するように構成することができる。ドロワは、ケーブルによってドロワエンクロージャに結合することができる。内部シェルは、ドロワ内のトレイを支持するように形成することができる。ドロワエンクロージャは、開口部及びファスナを含むことができ、開口部は、スタンドの嵌合特徴部を受け入れるように構成され、ファスナを駆動させることにより、スタンドエンクロージャが適所に固定される。開口部は、プラグを含むように形成することができ、ファスナを駆動させることによってプラグを解放することができる。開口部は、スタンドのデータポートに結合するように構成されたデータポートを含むことができる。２つのスライドレールの一方は、第１の側面に取り付けることができ、２つのスライドレールの他方は、第２の側面に取り付けることができる。ラッチは、第１の要素と、第２の要素と、第１の要素を第１の方向に回転するように付勢するよう構成された第１のバネと、第２の要素を第１の方向とは逆の第２の方向に回転するように付勢するよう構成された第２のバネとを含むことができる。閉鎖位置では、スライド式ドロワに取り付けられたピンが第１の要素のスロット内に収まり、第２の要素が第１の要素の回転を防ぐように位置付けられて、スロットの端部がピンの前方への移動を防ぐようにすることができる。
【００１８】
別の態様では、店舗販売時点情報管理システムのためのキャッシュドロワが、前面と、後面と、第１の側面と、第２の側面と、底面と、２つのスライドレールとを含むスライド式ドロワと、ドロワが閉鎖位置と開放位置と閉鎖位置との間で摺動可能になるようにレールを摺動自在に支持するための２つのレール支持体を有するドロワエンクロージャとを備え、閉鎖位置では、スライド式ドロワの前面の背面がドロワエンクロージャの前面に直接当接し、上記キャッシュドロワは、スライド式ドロワを閉鎖位置に保持する第１の位置と第２の位置との間で移動可能なラッチと、ラッチを第１の位置から第２の位置にソレノイド移動させるように構成されたアクチュエータとをさらに含む。
【００１９】
別の態様では、店舗販売時点情報管理システムが、販売業者アプリケーションを含むタブレットコンピュータと、タブレットコンピュータを支持するクレードル及びこのクレードルを支持するフレームを含むスタンドとを備え、クレードルは、タブレットコンピュータの表面が傾斜角を成した状態でタブレットコンピュータを解放可能に支持するとともに、タブレットコンピュータのデータポートに結合するように構成されたデータコネクタを含み、スタンドは、第１の配向と第２の配向の間で垂直軸を中心に回転可能であり、上記店舗販売時点情報管理システムは、スタンドに埋め込まれたカードリーダをさらに備え、販売業者アプリケーションは、顧客が購入する品目を販売業者が識別して支払総額を計算できるようにする第１のユーザインターフェイスをタブレットコンピュータの画面上に表示し、顧客が取引を承認できるようにする第２のユーザインターフェイスをタブレットコンピュータの画面上に表示するように構成される。
【００２０】
実装は、以下の特徴の１つ又はそれ以上を含むことができる。第２のユーザインターフェイスは、カードリーダにカードを挿入するように顧客を促すことができる。第２のユーザインターフェイスは、署名又は暗証番号（ＰＩＮ）の入力を行うように顧客を促すことができる。
【００２１】
本明細書で説明するように、実装の利点は、以下の１つ又はそれ以上を含むことができる。販売業者は、店舗販売時点情報管理装置を使用する際に、モバイル装置（例えば、タブレットコンピュータ）を支持するスタンドを使用して取引を行う。このスタンドは、タブレットコンピュータをスタンドから容易に取り外せないようにタブレットコンピュータを固定することができる。スタンドは、（磁気ストライプリーダ、ＮＦＣリーダ又はＥＭＶリーダなどの）カードリーダを含むことができる。スタンドは、タブレットコンピュータの画面が販売業者の従業員の方を向くように、又は顧客の方を向くように旋回することができる。旋回中、スタンドから延びる配線は動かないままとすることができる。スタンドは、ドロワ及び（外部プリンタなどの）その他の周辺機器にハブを通じて接続することができる。タブレットコンピュータは、データコネクタを通じてスタンドに接続された場合、ハブに接続された他の装置と相互連結することができる。配線の量を低減することができる。販売業者は、電子部品又はソフトウェアについての特別な知識を必要とせずに店舗販売時点情報管理システムを組み立てることができ、より低いコストで店舗販売時点情報管理システムを提供することができる。スタンドは、販売業者が店舗販売時点情報管理システムを異なる場所に容易に設置できるようにポータブルとすることができる。スタンド内の電子部品には、モバイル装置によって電力を供給することができる。この場合、スタンドから配線が延びないようにすることもできる。いくつかの実施形態では、スタンドを、ユーザがタブレットコンピュータとやりとりしている（触れている）間に安定状態を保つように重量決めすることができる。スタンドは、（販売業者のカウンタ又はテーブルなどの）静止物に固定することができる。
【図面の簡単な説明】
【００２２】
【図１】店舗販売時点情報管理システムのアーキテクチャ例の概略図である。
【図２】スタンド例の斜視図である。
【図３】スタンド例の側面図である。
【図４】一例による、フレームの後部とクレードルの間の接続を示す断面図である。
【図５】一例による、スタンドのベース部の底面図である。
【図６】一例によるベース部の斜視図である。
【図７Ａ】フレームが第１の配向にある時のベース部内のケーブル例を示す図である。
【図７Ｂ】フレームが、第１の配向に対して１８０°を成す第２の配向にある時のベース部内のケーブル例を示す図である。
【図８】スタンドの（仮想線で示す）フレーム内の回路例の斜視図である。
【図９】スタンド内の回路例の断面図である。
【図１０】カードリーダの回路例を示す図である。
【図１１】一例によるスタンドの上面図である。
【図１２】一例による、クレードルによって固定されたタブレットコンピュータを示す図である。
【図１３Ａ】スタンドに接続されたハブ例の斜視図である。
【図１３Ｂ】ハブ例の正面図である。
【図１４】開いたドロワ例の斜視図である。
【図１５Ａ】一例による閉じたドロワの斜視図である。
【図１５Ｂ】一例による閉じたドロワの上面図である。
【図１５Ｃ】一例による閉じたドロワの側面図である。
【図１６】一例による、ドロワのいくつかのコンポーネントを示す分解図である。
【図１７】一例による、摺動自在なドロワを仮想線で示す、ドロワエンクロージャ内部のコンポーネントの底面図である。
【図１８】ラッチ例の上面図である。
【図１９】一例による、ドロワエンクロージャの上部の分解図である。
【発明を実施するための形態】
【００２３】
様々な図面では、同じ要素を同じ参照数字及び記号表示で示す。
【００２４】
図１は、店舗販売時点情報管理システムのアーキテクチャ例の概略図である。このアーキテクチャは、タブレットコンピュータ１０２と、タブレットコンピュータ１０２用のスタンド１０４と、ハブ１０６と、ドロワ１０８と、プリンタ１１０と、バーコードリーダ１１２とを含む。スタンド１０４は、カードリーダ２０２（例えば、磁気ストライプリーダ、近距離無線通信（ＮＦＣ）リーダ、又はＥｕｒｏｐａｙ、ＭａｓｔｅｒＣａｒｄ、ａｎｄ  Ｖｉｓａ（ＥＭＶ）リーダなどのチップカードリーダ）を内蔵する。販売業者は、これらの各要素を個別に購入することができ、例えば、スタンドをタブレットコンピュータから離して設けたり、ドロワをスタンドから離して設けたりすることができる。さらに、組み立てられた店舗販売時点情報管理システム１００においても、ハブ１０６、ドロワ１０８、プリンタ１１０及びバーコードリーダ１１２は任意のコンポーネントである。
【００２５】
タブレットコンピュータ１０２は、支払取引を行うことができるソフトウェアを実行する。タブレットコンピュータ１０２は、プロセッサ１１４と、タッチスクリーンディスプレイ１１６と、無線ローカルエリアネットワークトランシーバ１１８と、電子通信用の物理インターフェイス１２０と、（例えば、ユニバーサルシリアルバス（ＵＳＢ）コネクタ又はその他の専用コネクタ内で電子通信用の物理インターフェイスと一体化することができる）電力を受け取るための物理インターフェイスとを含む。タブレットコンピュータ１０２は、オーディオジャックを受け入れるためのオーディオポート１２２を含むこともできる。物理インターフェイス１２０は、タブレットコンピュータ１０２のオーディオポート１２２と逆側の端部に存在することができる。例えば、タブレットコンピュータ１０２は、ｉＰａｄタブレットコンピュータとすることができる。
【００２６】
タブレットコンピュータ１０２は、スタンド１０４に支持されて分離可能に固定される。いくつかの実装では、タブレットコンピュータ１０２が、データコネクタを通じてスタンド１０４に電子的に接続される。タブレットコンピュータ１０２は、以下で図８〜図１０を参照しながら説明するように、スタンド１０４内の回路と通信することができ、この逆もまた同様である。
【００２７】
スタンド１０４は、タブレットコンピュータ１０２を支持して分離可能に固定する構造体である。スタンド１０４は、店舗販売時点情報管理システムの著しく顧客の目を引く部分である。スタンド１０４については、以下で図１〜図１２を参照しながらさらに説明する。
【００２８】
スタンド１０４は、任意にハブ１０６に接続される。ハブ１０６は、タブレットコンピュータ１０２を１又はそれ以上の周辺機器に接続する。いくつかの実装では、これらの周辺機器が、キャッシュドロワなどのドロワ１０８、プリンタ１１０及び／又はバーコードリーダ１１２を含む。ハブ１０６は、タブレットコンピュータ１０２と、ハブ１０６に接続された周辺機器との間の通信ブリッジとして機能する。ハブ１０６については、以下で図１３Ａ〜図１３Ｂを参照しながらさらに説明する。
【００２９】
いくつかの実装では、ハブ１０６が、スタンド１０４をドロワ１０８に接続する。ドロワ１０８は、タブレットコンピュータ１０２と相互連結するための電子部品を含む構造体である。いくつかの実装では、ドロワ１０８が現金を安全に保持する。ドロワ１０８については、以下で図１４〜図１８を参照しながら説明する。
【００３０】
いくつかの実装では、ハブ１０６が、スタンド１０４をプリンタ１１０に接続する。タブレットコンピュータ１０２は、ハブ１０６を通じてプリンタ１１０にデータを送信することができる。例えば、タブレットコンピュータ１０２は、顧客との支払取引を行う販売業者装置とすることができる。タブレットコンピュータ１０２は、ハブ１０６にレシートデータを送信することができる。ハブ１０６は、このレシートデータをプリンタ１１０にさらに送信することができる。プリンタ１１０は、レシートデータを受け取り、このレシートデータに基づいてレシートを印刷することができる。プリンタ１１０は、ハブ１０６にプラグ接続するＵＳＢコネクタを備えた市販のレシートプリンタとすることができる。
【００３１】
いくつかの実装では、ハブ１０６が、スタンド１０４をバーコードリーダ１１２に接続する。バーコードリーダ１１２は、ハブ１０６にプラグ接続するＵＳＢコネクタを備えた市販のバーコードリーダとすることができる。
【００３２】
従来の店舗販売時点情報管理システムは、コンピュータ、キャッシュドロワ、レシートプリンタ、販売業者側に向いたディスプレイ、及びバーコードリーダを含むことができる。販売業者は、バーコードリーダを用いて販売品目をスキャンすることができる。各スキャンをコンピュータが受け取り、在庫データベース内でこの品目に関する対応する詳細を調べる。このコンピュータは、データベースから詳細を受け取ると、販売業者側に向いたディスプレイ上に詳細を表示することができる。例えば、この詳細は、販売される各品目の識別番号、記述及び価格を含むことができる。販売業者は、販売する品目をスキャンした後に、販売業者への支払総額を計算することができる。この支払総額は、税金及び／又はチップを含むことができる。金額が確定すると、コンピュータは、この取引を処理し、プリンタを使用してレシートを印刷することができる。顧客は、レシートに物理的署名を行い、このレシートを販売業者に戻すことができる。
【００３３】
別の従来の店舗販売時点情報管理システムは、顧客側に向いた追加のディスプレイを含む。コンピュータは、顧客側に向いたディスプレイと販売業者側に向いたディスプレイの両方に取引の詳細を表示することができる。いくつかの実装では、顧客側に向いたディスプレイが顧客側に向いたカードリーダに取り付けられる。従って、販売業者が顧客のカードを通すのではなく、この顧客側に向いたカードリーダに顧客がカードを通すことができる。スキャンが完了すると、顧客側に向いたディスプレイは、（「支払カードを通してください」などの）顧客にカードを通すように促すメッセージを表示することができる。顧客がカードを通すと、顧客側に向いたディスプレイは、（「ここに署名してください」などの）顧客に署名を記入するように促すメッセージを表示することができる。顧客は、スタイラス又は指を使用して顧客側に向いたディスプレイ上でデジタル署名を行うことができる。
【００３４】
店舗販売時点情報管理システム１００では、スタンド１０４に固定されたタブレットコンピュータ１０２が、顧客側に向いたディスプレイと販売業者側に向いたディスプレイの両方の役割を果たす。タブレットコンピュータ１０２は、取引を処理するための販売業者アプリケーションを実行することができる。品目をスキャンする際には、この販売業者アプリケーションが、タブレットコンピュータ１０２を上述したような販売業者側に向いた装置として機能させることができる。或いは、この販売業者アプリケーションは、タブレットコンピュータ１０２の画面上に購入品目を表示して、品目を選択するためのタッチ処理を行うこともできる。品目スキャン又は品目選択が完了すると、タブレットコンピュータ１０２は、税金及び／又はチップなどを含む支払総額を計算し、この総額をユーザに表示することができる。次に、このアプリケーションは、顧客の署名、顧客の暗証番号（ＰＩＮ）又はその他の形の取引承認又は取引認証を受け取るためのプロンプトを表示することができる。販売業者は、プロンプトを確認したらスタンド１０４を回転させて、タブレットコンピュータ１０２を顧客の方に向けることができる。顧客が、例えばタブレットコンピュータ１０２のタッチパッド上で署名を行って取引を承認すると、タブレットコンピュータ１０２は、顧客に異なるレシート取得方法を表示することができる。例えば、この方法は、レシートを印刷すること、レシートを顧客の電子メールに送信すること、又はレシート処理をスキップする顧客オプションを可能にすることを含む。
【００３５】
タブレットコンピュータ１０２は、販売業者アプリケーションを使用して取引を処理することができる。タブレットコンピュータ１０２は、無線ネットワーク（例えば、ＷｉＦｉホットスポット又はセルラーデータ接続）に接続することができる。タブレットコンピュータ１０２は、この（署名及びカードデータを含む）取引情報を支払処理サーバに送信することができ、この支払処理サーバはカードネットワークとさらに通信する。カードネットワークは、支払取引のステータス（成功、失敗又はその他の状態）を示すメッセージを支払処理サーバに送信することができる。支払処理サーバは、このステータスをタブレットコンピュータ１０２にさらに送信することができる。
【００３６】
タブレットコンピュータ１０２は、このステータスを示すメッセージを顧客に表示することができる。顧客が取引を終了した後、販売業者は、再びスタンドを回転させてタブレットコンピュータ１０２を販売業者の方に向けることができる。
【００３７】
図２は、スタンド１０４の例の斜視図であり、図３は、スタンド１０４の例の側面図である。スタンド１０４は、タブレットコンピュータを支持して固定するためのクレードル２２０、及びクレードル２２０を支持するためのフレーム２００を含む。
【００３８】
フレーム２００は、前部２０４と、後部２０８と、水平に延びる底部２０６とを含む。後部２０８は、底部２０８の後端部から垂直に延びる。前部２０４は、底部２０８の前端部から垂直に延びる。前部２０４は、クレードル２２０の前方で底部２０６から上向きに延びる。前部２０４及び底部２０６の各々は、一般に平面体とすることができる。後部２０８は、クレードル２２０に接続される単一の垂直に延びる部分２０８ａを含むことも、或いは垂直に延びる部分と、クレードル２２０に接続される水平の支柱２０８ｂ（図３を参照）とを含むこともできる。垂直に延びる部分２０８ａは、クレードル２２０の直下に位置することも、或いはクレードル２２０の後方に位置することもできる。
【００３９】
フレーム２００の前部２０４は、カードリーダ２０２を含む。カードリーダ２０２は、カードを受け入れるためのスロット２０２ａを含む。カードリーダ２０２は、支払カード又は装置を処理することができる。例えば、販売業者又は顧客は、スロット２０２ａに支払カードを通すことができる。カードリーダ２０２が読み取ったデータは、タブレットコンピュータ１０２上で実行中の販売業者アプリケーションに送ることができる。カードリーダ２０２は、磁気ストライプリーダ、ＥＭＶリーダなどのチップカードリーダ、又はＮＦＣリーダとすることができる。いくつかの実装では、カードリーダ２０２が、１又はそれ以上の種類のリーダを含むことができる。例えば、カードリーダ２０２は、磁気ストライプを読み取る能力を有し、ＥＭＶカード及び／又はＮＦＣ装置を読み取るための機構を含むことができる。或いは、カードリーダ２０２を磁気リーダとして、スタンド１０４の別の部分に別のカードリーダを含め、例えば後部２０８にＮＦＣリーダを含めることもできる。
【００４０】
スロット２０２ａは、フレーム２００の前部２０４に、例えば前部２０４の上面２０２ｂに形成される。スロット２０２ａは、例えば前部２０４の前面に平行な面内などに垂直に配向することができる。この垂直スロット２０２ａは、前部２０４の幅全体にわたって延びることができる。いくつかの実装では、クレードル２２０によってタブレットコンピュータを保持する場合、スロット２０２ａが、タブレットコンピュータの表面によって定められる面の水平軸に平行であり、又は平行に延びる。
【００４１】
クレードル２２０は、フレームの後部２０８に取り付けられる。クレードル２２０は、タブレットコンピュータ１０２を支持するように構成される。クレードル２２０の前面は、縁部２２２及び凹状領域２２４を含むことができる。縁部２２２は、タブレットコンピュータ１０２の背面の端部に係合して支持するように構成される。凹状領域２２４の表面は、タブレットコンピュータ１０２の背面と一体化するように、すなわちタブレットコンピュータ１０２の背面の全て又はかなりの割合に接触するように成形することができる。図２のクレードル２２０は、前面がタブレットコンピュータ１０２の背面全体に広がる一般的に板状体として示しているが、いくつかの実装では、クレードルの前面を貫通するアパーチャが存在することもできる。例えば、クレードル２２０は、タブレットコンピュータ１０２の実質的に端部のみを支持することもできる（例えば、凹状領域のほとんどを、クレードル２２０を貫通するアパーチャに置き換えることもできる）。
【００４２】
いくつかの実装では、クレードル２２０によってタブレットコンピュータを保持する場合、タブレットコンピュータ１０２のタッチスクリーン面が、底部２０６に対して４０〜６５°などの傾斜角で配置される。いくつかの実装では、フレーム２００の前部２０４の上面２０２ｂが、クレードル２２０の底縁部２２６よりも低い位置に存在する。
【００４３】
クレードル２２０は、タブレットコンピュータ１０２のデータポート１２０（図１２を参照）に結合するように構成されたデータコネクタ２３０を含む。データコネクタ２３０は、縁部２２４から内向きに突出することができる。データコネクタ２３０は、クレードル２２０の縁部２２４の第１の側端部２３２に配置することができる。
【００４４】
クレードル２２０からは、ピン２４０が突出することができる。ピン２４０は、タブレットコンピュータ１０２のオーディオポート１２２に結合するように構成される。ピン２４０は、縁部２２４から内向きに突出することができる。ピン２４０は、クレードル２２０の縁部内のアパーチャ１２０４（図１２を参照）を貫いて延びる別個の要素とすることができる。アパーチャ１２０４及びピン２４０は、クレードル２２０の縁部２２４の第２の側端部２４２に配置することができる。この第２の側端部２４２は、クレードル２２０の第１の側端部２３２とは逆側に存在することができる。
【００４５】
いくつかの実装では、フレーム２００が、スタンドの重心がフレーム２００の前部２０４の方に存在するように重量決めされる。この重心は、少なくともクレードル２２０の底縁部の前方に存在することができる。例えば、亜鉛板などの高密度材料の物体２５０（図９を参照）を底部２０６の前半部分などのフレーム２００の前半部分に埋め込むことができる。これとは別に、又はこれに加えて、フレーム２００の前半部分を、軽量アルミニウム又はプラスティックなどの、フレームの後半部分よりも高密度の材料で形成することもできる。また、後部２０８を、前部２０４及び底部２０６より薄くすることもできる。スタンド１０４をこのように重量決めすることで、ユーザは、スタンド１０４とタブレットコンピュータ１０２の両方が安定した状態でタブレットコンピュータとやりとりし、例えば様々な量の力で画面に触れることができるようになる。
【００４６】
図４は、フレーム２００の後部２０８とクレードル２２０の間の接続を示す断面図である。図示のように、クレードル２２０は、フレーム２００の後部２０８に枢動自在に接続することができる。例えば、クレードル２２０は、円筒ロッドソケット継手４０２によってフレームに接続することができる。いくつかの実装では、この枢動接続が、例えばロッドソケット継手４０２のロッドが実質的に水平に延びて、クレードル２２０が水平軸を中心に回転するように構成される。例えば、ユーザは、スタンド１０４に対峙した時に、タブレットコンピュータを前方又は後方に傾けることができる。この枢動接続は、クレードル２２０に少なくとも２５°の可動域をもたらすことができる。いくつかの実装では、クレードル２２０が、タブレットコンピュータ１０２の表面に垂直な軸を中心に回転することができる。例えば、ユーザは、スタンド１０４に対峙した時に、タブレットコンピュータを時計回り又は反時計回りに回転させる（例えば、タブレットコンピュータ装置を横向き又は縦向きに配置する）こともできる。
【００４７】
再び図３を参照すると、いくつかの実装では、スタンド１０４が、フレーム２００及びクレードル２２０を回転自在に支持するベース部３０２を含む。ベース部３０２は円形とすることができ、フレームの底部２０６の幅とほぼ同等の幅を有することができる。ベース部３０２については、以下で図５〜図７を参照しながらさらに説明する。
【００４８】
図５は、スタンド１０４のベース部３０２の底面図である。ベース部３０２は、フレーム２００の底部２０６に取り付けられる。いくつかの実装では、ベース部３０２がフレーム２００を支持して、フレーム２００に枢動自在に取り付けられる。ベース部は、垂直軸３１０（図３を参照）を中心にしてフレーム２００を回転させることができる。スタンド１０４の重心は、垂直軸３１０の前方に存在することができる。例えば、ベース部３０２では、レイジースーザンベアリングなどの回転ベアリング６０２（図６を参照）上にフレーム２００を支持することができる。この構成では、ベース部を約０．５インチ未満の高さなどのかなり薄型にすることができる。
【００４９】
いくつかの実装では、フレーム２００の回転が第１の配向と第２の配向の間に限定されるように、ベース部３０２が停止部を含む。これとは別に、又はこれに加えて、ベース部３０２は、ユーザが十分な回転力を加えない限りフレーム２００を第１の配向又は第２の配向で保持するための戻り止め機構を含むこともできる。いくつかの実装では、第２の配向が、第１の配向に対して１８０°の角度を成す。例えば、スタンド１０４は、顧客と販売業者を隔てるテーブル上に存在することができる。スタンド１０４上のタブレットコンピュータ１０２は、販売業者の従業員側を向いた状態とすることができる。取引後、販売業者は、スタンド１０４を１８０°回転させてタブレットコンピュータ１０２を顧客の方に向け、例えば顧客の署名を取得し、又は取引の詳細を見せることができる。顧客がタブレットコンピュータ１０２とのやりとりを終えると、販売業者は、スタンド１０４を元の位置に戻すことができる。第１の配向と第２の配向の間の角度は、９０°又は１３５°などの他の予め設定した角度も可能である。
【００５０】
いくつかの実装では、ベース部３０２が、水平軸３１０と位置合わせされたアパーチャ５０２を含む。アパーチャ５０２は、回転ベアリング６０２（図６を参照）を貫いて延びることができる。アパーチャは、ネジ又はボルトなどの機械式ファスナを受け入れるように構成される。この機械式ファスナは、ベース部、従ってスタンド１０４を（販売業者のテーブル又はカウンタなどの）静止物に固定することができる。いくつかの実装では、ネジを受け入れるようにアパーチャにネジ山が付けられる。例えば、（テーブル又はカウンタなどの）支持体にドリルで穴を開け、この穴を通じてネジ山付きのアパーチャにネジを挿入して締め付け、スタンド１０４を支持体上に保持することができる。別の実装では、ベース部３０２、又は機械式ファスナによってベース部３０２上に保持される別の物体に接着剤が加えられる。
【００５１】
ベース部３０２は、電力を受け取るための配線を含む。この配線は、スタンド１０４内の回路をスタンド１０４内のデータコネクタに接続して電力を供給する。この回路については、以下で図８〜図１０を参照しながら説明する。
【００５２】
図６は、ベース部３０２の斜視図である。ベース部３０２は、ベース部内のベアリング６０２及びあらゆるケーブル配線を隠すための側壁３２０を含むことができる。図５及び図６を参照して分かるように、いくつかの実装では、ベース部３０２の底面内に溝５０４が形成される。電力及び／又はデータ用のケーブルは、溝５０４を通って延びることができる。溝５０４の一端は、ベース部３０２の側壁３２０の外面３２２と同一平面にあり、溝の他端は、ベース部３０２の内部に通じる外側開口部７０２で終端する。フレーム２００が垂直軸３１０を中心に回転しても、溝５０４は静止した状態を保ち、スタンド１０４から延びるケーブル部分は動かない。これにより、ケーブルの摩耗及び断裂や、ケーブルが販売業者のテーブル又はカウンタ上の他のコンポーネントと絡み合うことが防がれるだけでなく、スタンド１０４のユーザに、よりきれいな視覚的体験がもたらされるようになる。いくつかの実装では、ケーブルが、データワイヤ及び（例えば、スタンド１０４内の回路に電力を供給するための）電源ワイヤを含む。
【００５３】
図７Ａは、フレームが第１の配向にある時のベース部３０２内のケーブル７０４の例を示す図である。上述したように、溝５０４は、ケーブル７０４を外側開口部７０２内に導く。ケーブル７０４は、外側開口部７０２から内側開口部７０６に延びる。内側開口部７０６はケーブル７０４を導いて、スタンド１０４内の回路に電力及び／又はデータを運ぶことができる。フレーム２００が（例えば、時計回り又は反時計回りに）回転すると、外側開口部７０２は移動せずに内側開口部７０６が移動する。
【００５４】
図７Ｂは、フレームが、第１の配向に対して１８０°を成す第２の配向にある時のベース部３０２内のケーブル７０４の例を示す図である。図７Ａ及び図７Ｂには、ケーブル７０４がベアリング６０２の周囲で輪になるように示しているが、これは必須ではない。
【００５５】
いくつかの実装では、ベース部内の戻り止め機構又は停止部が、フレームの配向に応じて回転を制限する。例えば、第１の配向にあるフレームは、第２の配向に達するために反時計回り方向Ａ（図７Ａを参照）にしか回転しないように制限することができる。第２の配向にあるフレームは、第１の配向に達するために時計回り方向Ｂ（図７Ｂを参照）にしか回転しないように制限することができる。フレームの回転を制限すると、フレームの回転時にベース部３０２内部のケーブル７０４が絡まったり又は破損したりするのを防ぐ役に立つ。
【００５６】
図８は、スタンド１０４の（仮想線で示す）フレーム２００内の回路例の斜視図である。図９は、スタンド１０４内の回路例の断面図である。図８及び図９を参照して分かるように、この回路は、埋め込みホスト８０４、データコネクタ８０６、及び（磁気ストライプリーダ、ＥＭＶリーダ、ＮＦＣリーダ又はその他の支払リーダなどの）カードリーダ８０２を含むことができる。
【００５７】
埋め込みホスト８０４は、タブレットコンピュータ１０２と（プリンタ１１０又はキャッシュドロワ１０８などの）他の外部装置との間の通信を制御する中央処理装置である。この埋め込みホストはプロセッサ８１０を含む。埋め込みホスト８０４は、フレームの後部２０８に位置することができるが、底部２０８などの他の場所も可能である。図７Ａ及び図７Ｂを参照して上述したように、内側開口部７０２は、埋め込みホスト８０４に電力及び／又はデータを供給するケーブル７０４を導く。タブレットコンピュータ１０２をクレードル２２０に接続した場合、埋め込みホスト８０４は、データコネクタ８０６を通じてタブレットコンピュータ１０２と通信することができる。また、埋め込みホスト８０４は、カードリーダ８０２からの信号もタブレットコンピュータに向ける。例えば、顧客が、磁気カードリーダ、ＮＦＣカードリーダ、又はＥＭＶリーダなどのチップカードリーダなどのカードリーダ８０２においてカードを使用した場合、埋め込みホスト８０４がカードデータを受け取り、データコネクタ８０６を通じてタブレットコンピュータに送信する。
【００５８】
いくつかの実装では、ケーブル７０４の第１の端部が埋め込みホスト７０４に接続され、ケーブル７０４の第２の端部がハブに接続される。ハブについては、以下で図１３Ａ〜図１３Ｂを参照しながら説明する。埋め込みホスト８０４は、ハブに接続された装置を制御することができる。ハブ１０６には、キャッシュドロワ１０８を接続することができる。埋め込みホスト８０４は、ドロワ１０８を開くべきかどうかを制御することができる。例えば、取引を行う際には、タブレットコンピュータ１０２上で実行中の販売業者アプリケーションが、現金による支払い処理又はカードによる支払い処理を選択することができる。このアプリケーションは、現金払いを選択した場合、埋め込みホスト８０４に信号を送信してキャッシュドロワ１０８を開くことができる。キャッシュドロワ１０８が閉じると、ドロワ１０８が埋め込みホスト８０４に信号を送信し、埋め込みホスト８０４が、タブレットコンピュータ１０２上で実行中のアプリケーションに通知を行うことができる。別の例では、プリンタ１１０とハブ１０６の間で接続／通信を行うことができる。埋め込みホスト８０４は、タブレットコンピュータ１０２からデータを受け取り、プリンタ１１０と通信してデータを印刷することができる。別の例では、ハブ１０６にバーコードリーダ１１２を接続することができる。埋め込みホスト８０４は、バーコードリーダ１１２から信号を受け取り、これらの信号をタブレットコンピュータ１０２に転送することができる。
【００５９】
埋め込みホスト８０４は、ドロワ１０８から（ドロワが開いているか又は閉じているかなどの）状態を読み出すこともできる。例えば、タブレットコンピュータ１０２上で実行中のアプリケーションは、埋め込みホスト８０４に、ある時点でドロワ１０８の状態を取得するように要求することができる。埋め込みホスト８０４は、ドロワ１０８の状態をアプリケーションに送信し、このアプリケーションがドロワの状態を定期的に保存することができる。アプリケーションは、この状態に基づいて、ある期間中にドロワ１０８が開けられた又は閉められた回数、或いはドロワ１０８が開いたままであった時間を追跡することもできる。これにより、販売業者（例えば、管理者）は、ドロワが開け閉めされた回数が多すぎる、又はドロワが異常な時刻に開いていた、などの異常な操作があるかどうかを検査することができる。
【００６０】
タブレットコンピュータ１０２上で実行中のアプリケーションは、全てのドロワの操作に識別情報を関連付けることができる。従業員は、アプリケーションの使用時に、タブレットコンピュータ１０２のユーザインターフェイスに従業員ＩＤ又はＰＩＮなどの個人識別子を入力することができる。アプリケーションは、この個人識別子を記憶して、この従業員を装置の使用者としてログに記録することができる。ドロワ１０８の回路が埋め込みホスト８０４に状態を送信し、この状態がさらにタブレットコンピュータ１０２に転送されると、アプリケーションは、特定のタイムスタンプ時にドロワが開いていた又は閉じていたなどのドロワの状態と共に個人識別子をログに記録することができる。従業員は、タブレットコンピュータ１０２のユーザインターフェイスを使用してアプリケーションからログアウトすることができる。
【００６１】
図８を参照して上述したように、埋め込みホスト８０４は、カードリーダ８０２からデータを読み出すことができる。
【００６２】
いくつかの実装では、埋め込みホスト８０４が、スタンド１０４のためのスタンド識別符号（スタンドＩＤ）を含む。各スタンドは、一意のスタンドＩＤを有することができる。例えば、このスタンドＩＤをコンフィグレーションレジスタに記憶することができる。スタンドＩＤは、スタンド１０４の製造時に決定することができる。
【００６３】
いくつかの実装では、ドロワ１０８も、ドロワＩＤのための１又はそれ以上のコンフィグレーションレジスタなどの回路を含む。各ドロワは、一意のドロワＩＤを有することができる。ドロワＩＤは、スタンドＩＤを補完することができる。いくつかの実装では、このＩＤが製造中に生成される。別の実装では、店舗販売時点情報管理システムの初期化時に、モバイル装置１０２が、ドロワＩＤとスタンドＩＤをペアにすることができ、例えば、スタンド１０４が最初にドロワ１０８に接続された時に、販売業者が、モバイル装置１０２上で実行中のアプリケーションを使用してこれらのドロワとスタンドをペアにする。
【００６４】
店舗販売時点情報管理システムは、スタンドがドロワと正しくペアになっているかどうかを判定することができる。埋め込みホストは、ドロワ１０８内の回路から得られるドロワＩＤにアクセスすることができる。埋め込みホストは、スタンドＩＤにアクセスすることもできる。いくつかの実装では、埋め込みホストが、ドロワＩＤとスタンドＩＤが補完し合っているかどうかを判定し、モバイル装置１０２上で実行中のアプリケーションに通知する。他の実装では、モバイル装置１０２が、埋め込みホスト８０４からのＩＤにアクセスして判定を行う。他の実装では、モバイル装置１０２が、埋め込みホスト８０４からのＩＤにアクセスし、ドロワＩＤとスタンドＩＤをリモートサーバに送信し、このリモートサーバが判定を行って、販売業者に、例えばモバイル装置１０２又は別のコンピュータに警告を送る。ＩＤが補完し合っていない場合、モバイル装置１０２は、支払サービスシステムなどの外部システムに不審な操作を通知することができる。これにより、ドロワに関する不正行為を阻むことができ、例えば、システムは、現金が入ったドロワと空のドロワの入れ替えを検出することができる。
【００６５】
図１０は、カードリーダ２０２の回路例を示す図である。いくつかの実装では、カードリーダ２０２が磁気ストライプリーダである。磁気ストライプリーダは、フレックス回路８０２で構成することができる。フレックス回路８０２は、２つの読取ヘッド１００２、１００４を含むことができる。これにより、顧客は、カードリーダ内でスロット２０２Ａａにクレジットカードをいずれの向きで通すこともでき、例えばカードストライプを顧客側に向けて通すことも又は販売業者側に向けて通すこともできる。図８に示すように、フレックス回路８０２は、読取ヘッド１００２、１００４がスタンド１０４のフレームの前部２０４においてスロット２０２ａの両側に位置するように配置することができる。
【００６６】
いくつかの実装では、カードリーダ２０２がＥＭＶリーダである。ＥＭＶリーダは、２つの読取ヘッド１００２、１００４を備えた改良型フレックス回路などの改良型スワイプカードリーダとすることができる。この改良型フレックス回路は、顧客のカード内のチップと通信することができる。例えば、顧客は、カードを通すことも、又はＥＭＶリーダに接してカードを置くこともできる。このＥＭＶリーダがカードからデータを読み取り、モバイル装置１０２が顧客に暗証番号（ＰＩＮ）を促す。モバイル装置１０２は、顧客のＰＩＮを受け取り、このＰＩＮを顧客のカード内のチップに送信する。チップは、このＰＩＮがチップ上の内部ＰＩＮと一致するかどうかを確認することができる。その後、チップは、ＰＩＮが一致したかどうかをＥＭＶリーダに通知する。
【００６７】
いくつかの実装では、カードリーダ２０２がＮＦＣリーダである。ＮＦＣリーダは、標準的なＮＦＣプロトコルを使用して、近距離内のＮＦＣ対応装置（携帯電話又はＮＦＣカードなど）を読み取ることができる。顧客は、ＮＦＣリーダから近い距離にカードを置くことができる。ＮＦＣリーダは、カードデータを読み取り、このデータをモバイル装置１０２に送信して処理が行われる。
【００６８】
いくつかの実装では、フレックス回路８０２の読取ヘッド１００２、１００４の直近に暗号化回路１００６、１００８が配置される。暗号化回路１００６、１００８は、市販の暗号化ＡＳＩＣとすることができる。組み立て中、各暗号化回路１００６、１００８は、隣接する読取ヘッド１００２、１００４と共にそれぞれポッティングされる。いくつかの実装では、各読取ヘッド１００２、１００４がハードウェア暗号化を含む。いずれの実装においても、顧客がクレジットカードを通した場合、カードリーダ２０２は、読取ヘッドからのカードデータを直ちに暗号化し、このデータを埋め込みホスト８０４に送信する。このカードデータは、後で外部サーバ（タブレットコンピュータと通信する支払サーバなど）において復号される。
【００６９】
埋め込みホスト８０４がフレーム２００の後部２０８に配置されている場合、フレックス回路８０２は、読取ヘッド１００２、１００４を埋め込みホスト８０４に接続するための、底部２０６内を通る延長ストリップ１０１０を含むことができる。ストリップ１０１０は、ベアリング６０２及び／又は機械式ファスナを受け入れるいずれかのアパーチャのための間隙を提供するオフセット部分１０１２を含むことができる。
【００７０】
図１１は、スタンド１０４の上面図である。図１２は、タブレットコンピュータ１１０２をクレードル２２０に挿入している図である。タブレットコンピュータ１０２は、クレードル２２０上に配置した場合、データコネクタ２３０を通じて埋め込みホスト８０４と通信することができる。例えば、クレードル２２０がｉＰａｄを支持するように構成されている場合、データコネクタ２３０は、３０ピンＡｐｐｌｅドックコネクタとすることができる。いくつかの実装では、クレードルが、タブレットコンピュータのオーディオポートに合致するように構成されたネジ穴１２０４（図１２を参照）を含む。このネジ穴には、ネジ１１０４を挿入して延ばすことができる。ネジ１１０４の先端部は、標準的なオーディオポートに収まるように構成することができ、ネジの軸部のネジ山をネジ１１０４の頂部付近に配置して、穴１２０４のネジ山に係合させることができる。
【００７１】
タブレットコンピュータ１０２は、クレードル２２０上に配置する場合、データコネクタ２３０に取り付け、ネジ１１０４によって固定することができる。タブレットコンピュータ１０２には、データコネクタ２３０とネジ１１０４が互いに反対側から挿入されるので、タブレットコンピュータ１０２は、クレードル２２０上にしっかりと保持される。この構成では、タブレットコンピュータが分離可能（すなわち、ネジ１１０４を外すことによって）ではあるが素早く取り外すことはできず、これによりスタンド１０４又はタブレットコンピュータ１０２のいずれかが素早く盗まれるのを防ぐような形でタブレットコンピュータをスタンド１０４に固定することができる。いくつかの実装では、クレードル２２０にバネ１２０２が取り付けられる。タブレットコンピュータ１１０２のオーディオポートからネジ１１０４を取り外すと、バネ１２０２が、クレードル２２０からタブレットコンピュータ１１０２を押し出すことができる。
【００７２】
図１３Ａは、スタンド１０４に接続されるハブ１０６の例の斜視図である。ハブ１０６は、チップセット、電源１３０４、デバイスポート１３０６、及び周辺機器のためのその他のポートを含む筐体である。ハブのチップセットは、ハブに接続された周辺機器とタブレットコンピュータの間で（例えば、埋め込みホスト８０４を通じて）データを中継するように構成される。デバイスポート１３０６は、チップセットとタブレットコンピュータの間の（例えば、スタンド１０４内の配線７０４を通じた）通信ブリッジを提供する。デバイスポート１３０６は、電源１３０４を通じてスタンドの回路に電力を供給することもできる。
【００７３】
図１３Ｂは、ハブ１０６の例の正面図である。いくつかの実装では、ハブ１０６がドロワポート１３１２を含む。ドロワポート１３１２は、チップセットと（キャッシュドロワなどの）ドロワ１０８内の回路との間の通信ブリッジとすることができる。チップセットは、タブレットコンピュータから送信されてきた情報をドロワに、及びその逆に中継することができる。ドロワポート１３１２は、接地ラインと、接続された周辺機器に１２Ｖなどの追加の電力を供給する電圧供給ラインと、２つのデータラインとを有する非標準的なポートとすることができる。ハブ（及び埋め込みホスト）は、ユニバーサルシリアルバス（ＵＳＢ）通信プロトコルを用いてデータライン上でデータを通信するように構成することができる。いくつかの実装では、ハブ１０６が、周辺ポート１３０８及び１３１０を含む。これらの周辺ポートは、チップセットがサポートする外部機器に接続することができる。例えば、周辺ポート１３０８又は１３１０に外部プリンタ１１０を接続することができる。別の例として、周辺ポート１３０８又は１３１０にバーコードリーダ１１２を接続することもできる。いくつかの実装では、これらの周辺ポートが標準的なユニバーサルシリアルバス（ＵＳＢ）ポートである。
【００７４】
図１４は、開いたドロワ１０８の例の斜視図である。図１５Ａは、閉じたドロワ１０８の斜視図である。図１５Ｂは、閉じたドロワ１０８の上面図である。図１５Ｃは、閉じたドロワ１０８の側面図である。ドロワ１０８は、ハブ１０６に（又はスタンド１０４に直接）接続することができる。ドロワ１０８は様々な電子部品を含み、いくつかの実装では、ドロワ１０８がハブの電源によって電力を供給される。
【００７５】
ドロワ１０８は、スライド式ドロワ１４０４を保持するドロワエンクロージャ１４０２を含む。一般に、エンクロージャ１４０２は、スライド式ドロワ１４０４がエンクロージャ１４０２の手前側の開口部内に収まる直方体とすることができる。
【００７６】
いくつかの実装では、スライド式ドロワ１４０４がトレイ１４０６を含む。トレイ１４０６は、スライド式ドロワ１４０５から取り外し可能とすることができる。トレイ１４０６は複数の区画に分割することができ、現金を保管するための１又はそれ以上のフリッパー（例えば、フリッパー１４０８）を有することができる。トレイ１４０６は、硬貨又はその他の形の支払金（例えば、クーポン）を保管することもできる。
【００７７】
図１６は、ドロワ１０８のいくつかのコンポーネントを示す分解図である。スライド式ドロワ１４０４は、前面１６１０、第１の側面１６１４、第２の側面１６１２、底面１６１６、及び後面１６１８を含む。ドロワ１４０４は、内部シェル１６０８も含む。内部シェル１６０８はドロワの内部に位置し、ドロワの全ての面（例えば、前面、側面、後面及び底面）に取り付けられ、これらの面に沿って延びる。いくつかの実装では、内部シェル１６０８が、トレイ１４０４を支持するように形成される（図１４を参照）。
【００７８】
ドロワは、２つの平行なスライドレール１６０４、１６０６も含む。スライドレール１６０４、１６０６は、内部シェル１６０８の下方に位置し、ドロワ１０８を開いて上から見た時にはレール１６０４、１６０６が隠れるようになる（図１４を参照）。スライドレール１６０４、１６０６は、第１及び第２の側面１６１２、１６１４と平行に延びる。スライドレール１６０６は、第１の側面１６１４に取り付けられる。スライドレール１６０４は、第２の側面１６１２に取り付けられる。これとは別に、又はこれに加えて、スライドレール１６０４、１６０６は、内部シェル１６０８にも取り付けられる。
【００７９】
ドロワエンクロージャ１４０２は、２つのスライドレール１６０４、１６０６を摺動自在に受け入れるためのレール支持体１６２４、１６２６を含む。例えば、販売業者は、スライドレール１６０４、１６０６に押す動き又は引く動きを加えることによってドロワ１４０４を開閉することができる。レール支持体１６２４、１６２６も、スライド式ドロワ１４０４の後面１６１８によって隠されるので、ドロワが開いている時には上から見えない。いくつかの実装では、スライド式ドロワ１４０４がドロワエンクロージャ１４０２から外れないように、ドロワにケーブル１６０２が取り付けられる。このケーブルは、金属製の留め金とすることができる。
【００８０】
図１５Ａ〜図１５Ｃに示すように、閉じた時には、スライド式ドロワ１４０４とエンクロージャ１４０２との間に事実上隙間が存在しないように、スライド式ドロワ１４０４の前面１６１０の背面がエンクロージャ１４０２の前面に直接接触することができる。この隙間の減少によって（例えば、バール又はその他の工具を差し込んでドロワをこじ開けることが困難になるようにすることにより）セキュリティが改善される。
【００８１】
図１７は、スライド式ドロワ１４０４を仮想線で示す、ドロワエンクロージャ１４０２内部のコンポーネントの底面図である。ドロワ１０８は、ラッチ１７０８及びソレノイド１７０６を含む。
【００８２】
一般に、ラッチ１７０８は、スライド式ドロワ１４０４を（図１５Ａ〜図１５Ｃに示すように）閉鎖位置に固定して保持する。例えば、スライド式ドロワ１４０４の後部からブラケット１７２０が延び、このブラケット１７２０からピン１７２２が垂直に延びて、このピン１７２２をラッチ１７０８内のスロット１７２４によって捕捉することができる。この閉鎖され固定された状態では、ラッチ１７２４が、スロット１７２４の端部がピン１７２２の前方への移動を防ぎ、従ってスライド式ドロワ１４０４の前方への移動を防ぐような位置に保持される。
【００８３】
スライド式ドロワ１４０４は、ソレノイド１７０６を用いてドロワエンクロージャ１４０２から解放することができる。例えば、タブレットコンピュータ１０２が、ドロワ１４０４を開くためのコマンドを（例えば、埋め込みホスト８０４を通じて）送信することができる。このコマンドにより、ソレノイドがラッチ１７０８を動かしてドロワ１４０４を解放するようになる。このコマンドは、例えば、顧客が現金で支払を行っている時、又は管理者が管理者のカードをカードリーダ２０２に通した時などの、取引の最後に送信することができる。例えば、いくつかの実装では、ソレノイド１７０６が、ラッチ１７２４が自由に揺動できるように部品を動かすことができる。ラッチ１７２４が揺動してピン１７２２を解放することができるので、ドロワが自由に開くようになる。
【００８４】
エンクロージャの後部とスライド式ドロワ１４０４の背面との間にバネ１７３０を配置して、スライド式ドロワ１４０４がエンクロージャ１４０２から前方に摺動するように力を加えることもできる。いくつかの実装では、バネ１７３０が、スライド式ドロワ１４０４の後部から延びるブラケット１７３２に当接することができる。
【００８５】
また、ドロワ１０８は、任意にロック機構１７０２及び作動機構１７０４を含むこともできる。このロック機構１４０２を通じてドロワ１４０４を解放することもできる。例えば、電力故障時及びソレノイドを作動させる電力が存在しない時にドロワ１０８をロック解除する必要が生じることもある。ロック機構１７０２は、ドロワエンクロージャ１４０２の底面に取り付けることができる。例えば、販売業者は、ロック機構１７０２にマスターキー１７３４を挿入することにより、直ちにキャッシュドロワにアクセスすることができる。ロック機構１７０２が有効なキーを受け入れると、この有効なキーが挿入されることにより、作動機構１７０４をラッチ１７０８に係合させる力が生じる。例えば、このロック機構は、有効なキーしかロック内を延びてキーの先端が作動機構１７０４に当接しないように構成することができる。この結果、ラッチ１７０８が動くことによってドロワ１４０４が開く。いくつかの実装では、ロック機構１７０２がリニアロックであり、作動機構１７０４が金属ロッドである。
【００８６】
図１８は、ラッチ１７２４の例の上面図である。図示のようなラッチの位置は、ドロワ１０８が開いている時のものとすることができる。このラッチは、エンクロージャ１４０２に枢動自在に取り付けられた第１の要素１８０４、及びエンクロージャ１４０２に枢動自在に取り付けられた第２の要素１８０２を含むことができる。第２の要素１８０２には、ソレノイド１７０６を取り付けることができる。例えば、第２の要素１８０２のスロット（又は穴）１８０８に、ソレノイド１７０６の（仮想線で示す）作動可能ロッド１８１２から上向きに延びるピン１８１０を通すことができる。
【００８７】
ドロワが閉じている時には、第１の要素１８０４の一端の凹部１７２４にピン１７２２が収まり、第２の要素１８０２の端部１８１４が、第１の要素１８０４の背面の凹部１８０６などに当接する。第２の要素が存在することにより、第１の要素１８０４の時計回りの回転が妨げられ、従って第１の要素１８０４の旋回が妨げられ、従ってピン１８２２が保持されてドロワ１０８が閉じた状態に保たれる。ソレノイド１７０６は、ドロワを開くために、第２の要素１８０２が第１の要素１８０４の背面に当接した状態から解除されるように牽引力を加えることができる。或いは、作動機構１７０４が、第２の要素１８０２が第１の要素１８０４の背面に当接した状態から解除される力を第２の要素１８０２に加えることもできる。いずれの状況においても、これにより第１の要素１８０４が時計回りに自由に回転してピン１８２２を解放し、スライド式ドロワ１４０４が自由に開くようになる。
【００８８】
第１の要素１８０４には、第１の要素１８０４が時計回りに回転しやすくする回転力を第１のバネによって加えることができる。第２の要素１８０２には、第２の要素１８０２が反時計回りに回転しやすくする回転力を第２のバネによって加えることができる。
【００８９】
図１９は、ドロワエンクロージャ１４０２の上面の分解図である。ドロワエンクロージャ１０４は、開口部１９０２を含むことができる。いくつかの実装では、この開口部にプラグを解放可能に挿入することができる。このプラグは、製造業者の１又はそれ以上のラベル（例えば、会社ロゴを表示する物体）又はその他の芸術的特徴を含むことができ、或いはプレースホルダとして役立つこともできる。ドロワエンクロージャ１４０２の頂部の内側には、ファスナ１９０４を摺動自在に固定することができる。ファスナ１９０４は、開口部１９０２を通じてドロワエンクロージャ１４０２に挿入された物体を固定することができる。
【００９０】
例えば、ドロワ１０８の頂部にスタンド１０４を固定するために、開口部１９０２に挿入したネジなどの適当な嵌合特徴部を有する固定具をスタンド１０４の底面に固定することができる。販売業者などのユーザは、ファスナ１９０４を引き戻し（例えば、駆動させ）、固定具の嵌合特徴部を開口部１９０２内に配置し、この嵌合特徴部をファスナ１９０４のスロット又は穴と位置合わせすることができる。その後、ユーザは、ファスナ１９０４を解除して固定具を適所に保持する。いくつかの実装では、ファスナ１９０４がラッチである。ユーザは、固定された物体（例えば、これがプラグ又はスタンドかどうかに関わらず）を取り外すために、ファスナ１９０４を引き戻して開口部１９０２から固定具を上向きに引き上げることができる、
【００９１】
上記の説明は、タブレットコンピュータを支持するスタンドに焦点を当てたものであるが、用途によっては、タブレットコンピュータの代わりにスマートフォンなどの別のタイプのモバイル装置を使用することもできる。タブレットコンピュータは、スマートフォンよりも画面が大型であるという利点を有し、これにより販売業者が店舗販売時点情報管理システムを利用しやすくすることができる。
【００９２】
いくつかの実装では、顧客が、スタンドを用いて販売業者とのカードレス支払取引を行うことができる。このカードレス支払取引は、２０１１年１１月２２日に出願された「カードレス支払取引（Ｃａｒｄｌｅｓｓ  Ｐａｙｍｅｎｔ  Ｔｒａｎｓａｃｔｉｏｎｓ）」という名称の米国特許出願（整理番号第６１／５６３，０２２号）に記載されており、この特許出願はその全体が引用により本明細書に組み入れられる。カードレス支払取引では、スタンド内のカードリーダは任意である。
【００９３】
本明細書で説明した主題及び動作の実施形態は、本明細書で開示した構造及びこれらの構造的同等物を含む、デジタル電子回路又はコンピュータソフトウェア、ファームウェア又はハードウェア、或いはこれらの１つ又はそれ以上の組み合わせで実装することができる。本明細書で説明した主題の実施形態は、非一時的コンピュータ記憶媒体上で符号化された、データ処理装置が実行するための、又はこれらのデータ処理装置の動作を制御するための１又はそれ以上のコンピュータプログラム、すなわちコンピュータプログラム命令の１又はそれ以上のモジュールとして実装することができる。これとは別に、又はこれに加えて、プログラム命令は、データ処理装置が実行できるように好適な受信機装置に送信するための情報を符号化するために生成された、機械が生成した電気、光又は電磁信号などの人為的に生成された伝播信号上で符号化することもできる。コンピュータ記憶媒体は、コンピュータ可読記憶装置、コンピュータ可読記憶基板、ランダム又はシリアルアクセスメモリアレイ又は素子、或いはこれらの１つ又はそれ以上の組み合わせとすることも、又はこれらに含めることもできる。さらに、コンピュータ記憶媒体は伝播信号ではないが、人為的に生成された伝播信号内で符号化されたコンピュータプログラム命令の供給元又は供給先とすることができる。コンピュータ記憶媒体は、１又はそれ以上の別個の物理的要素又は媒体（例えば、複数のＣＤ、ディスク又はその他の記憶装置）とすることも、又はこれらに含めることもできる。
【００９４】
本明細書で説明した動作は、１又はそれ以上のコンピュータ可読記憶装置に記憶された又は他の供給源から受け取ったデータに対してデータ処理装置が行う動作として実装することができる。
【００９５】
「データ処理装置」という用語は、データを処理するための全ての種類の装置、機器及び機械を含み、一例として、プログラムマブルプロセッサ、コンピュータ、システムオンチップ、又はこれらの複数又は組み合わせを含む。装置は、ＦＰＧＡ（フィールド・プログラマブル・ゲート・アレイ）又はＡＳＩＣ（特定用途向け集積回路）などの専用論理回路を含むことができる。装置は、ハードウェアに加え、プロセッサファームウェア、プロトコルスタック、データベース管理システム、オペレーティングシステム、クロスプラットフォームランタイム環境、仮想機械、或いはこれらの１つ又はそれ以上の組み合わせを構築するコードなどの、コンピュータプログラムの実行環境を形成するコードを含むこともできる。これらの装置及び実行環境は、ウェブサービス、分散コンピューティング及びグリッドコンピューティングインフラなどの、様々な異なる計算モデルインフラを実現することができる。
【００９６】
（プログラム、ソフトウェア、ソフトウェアアプリケーション、スクリプト又はコードとしても知られている）コンピュータプログラムは、コンパイラ型言語又はインタプリタ型言語、宣言型言語又はプロシージャ型言語を含むあらゆる形のプログラミング言語で書くことができ、スタンドアロンプログラムとして、又はモジュール、コンポーネント、サブルーチン、オブジェクト、又はコンピューティング環境で使用するのに適した他のユニットとしてなどのあらゆる形で展開することができる。コンピュータプログラムは、必須ではないが、ファイルシステム内のファイルに対応することができる。プログラムは、（マークアップ言語リソースに記憶された１又はそれ以上のスクリプトなどの）他のプログラム又はデータを保持するファイル部分、そのプログラム専用の単一のファイル、又は（１又はそれ以上のモジュール、サブプログラム又はコード部分を記憶するファイルなどの）複数の協調ファイルに記憶することができる。コンピュータプログラムは、１つのコンピュータ上で、或いは１箇所に配置された又は複数箇所に分散して通信ネットワークにより相互接続された複数のコンピュータ上で実行されるように展開することができる。
【００９７】
本明細書で説明した処理及び論理フローは、入力データに作用して出力を生成することによって動作を実行するための１又はそれ以上のコンピュータプログラムを実行する１又はそれ以上のプログラマブルプロセッサによって実行することができる。これらの処理及び論理フローは、ＦＰＧＡ（フィールド・プログラマブル・ゲート・アレイ）又はＡＳＩＣ（特定用途向け集積回路）などの専用論理回路によって実行することもでき、装置をこれらの回路として実装することもできる。
【００９８】
コンピュータプログラムの実行に適したプロセッサとしては、一例として、汎用及び専用の両方のマイクロプロセッサ、及びあらゆる種類のデジタルコンピュータのいずれか１つ又はそれ以上のプロセッサが挙げられる。一般に、プロセッサは、リードオンリメモリ又はランダムアクセスメモリ、或いはこれらの両方から命令及びデータを受け取る。コンピュータの必須要素は、命令に従って動作を実行するためのプロセッサ、並びに命令及びデータを記憶するための１又はそれ以上の記憶装置である。一般に、コンピュータは、磁気ディスク、光磁気ディスク又は光ディスクなどの、データを記憶するための１又はそれ以上の大容量記憶装置も含み、或いはこれらの大容量記憶装置からデータを受け取り、これらの大容量記憶装置にデータを転送し、又はこれらの両方を行うように動作可能に結合される。しかしながら、コンピュータはこのような装置を有する必要はない。さらに、コンピュータを別の装置に、例えばごくわずかな例を挙げれば、携帯電話機、携帯情報端末（ＰＤＡ）、モバイルオーディオ又はビデオプレーヤ、ゲーム機、全地球測位システム（ＧＰＳ）受信機、又は（ユニバーサルシリアルバス（ＵＳＢ）フラッシュドライブなどの）ポータブル記憶装置に組み込むこともできる。コンピュータプログラム命令及びデータを記憶するのに適した装置としては、一例として、ＥＰＲＯＭ、ＥＥＰＲＯＭ、及びフラッシュメモリ素子などの半導体メモリ素子、内部ハードディスク又はリムーバブルディスクなどの磁気ディスク、光磁気ディスク、並びにＣＤ−ＲＯＭディスク及びＤＶＤ−ＲＯＭディスクを含む全ての形の不揮発性メモリ、媒体及びメモリ素子が挙げられる。プロセッサ及びメモリは、専用論理回路によって補完することも、又は専用論理回路に組み込むこともできる。
【００９９】
本明細書で説明した主題の実施形態は、ユーザとのやりとりを可能にするために、ユーザに情報を表示するためのＣＲＴ（ブラウン管）又はＬＣＤ（液晶ディスプレイ）モニタなどのディスプレイ装置、並びにユーザがコンピュータに入力を行えるようにするキーボード及びマウス又はトラックボールなどのポインティングデバイスを有するコンピュータ上に実装することができる。他の種類の装置を使用してユーザとのやりとりを可能にすることもでき、例えば、ユーザに提供されるフィードバックを、視覚フィードバック、聴覚フィードバック又は触覚フィードバックなどのいずれかの形の知覚フィードバックとし、ユーザからの入力を、音響入力、発話入力又は触覚入力を含むいずれかの形で受け取ることができる。また、コンピュータは、ユーザが使用する装置との間でリソースを送受信することにより、例えば、ユーザのクライアント装置上のウェブブラウザから受け取った要求に応答してこのウェブブラウザにウェブページを送信することにより、ユーザとやりとりすることができる。
【０１００】
本明細書で説明した主題の実施形態は、例えばデータサーバとしてのバックエンドコンポーネントを含む、又はアプリケーションサーバなどのミドルウェアコンポーネントを含む、又はユーザが本明細書で説明した主題の実装とやりとりできるようにするグラフィカルユーザインターフェイス又はウェブブラウザを有するクライアントコンピュータなどのフロントエンドコンポーネントを含む、或いは１又はそれ以上のこのようなバックエンドコンポーネント、ミドルウェアコンポーネント又はフロントエンドコンポーネントのいずれかの組み合わせを含むコンピュータシステムに実装することができる。システムのコンポーネントは、通信ネットワークなどのいずれかの形又は媒体のデジタルデータ通信によって相互接続することができる。通信ネットワークの例としては、ローカルエリアネットワーク（「ＬＡＮ」）及び広域ネットワーク（「ＷＡＮ」）、インターネットワーク（例えば、インターネット）、並びにピアツーピアネットワーク（例えば、アドホック・ピアツーピアネットワーク）が挙げられる。
【０１０１】
コンピュータシステムは、クライアント及びサーバを含むことができる。一般に、クライアントとサーバは互いに離れており、通常は通信ネットワークを介してやりとりする。このクライアントとサーバの関係は、それぞれのコンピュータ上で実行される、互いにクライアント−サーバの関係を有するコンピュータプログラムによって生じる。いくつかの実施形態では、（例えば、クライアント装置とやりとりしているユーザにデータを表示し、ユーザからユーザ入力を受け取るために）サーバがクライアント装置に（ＨＴＭＬページなどの）データを送信する。サーバでは、クライアント装置で生成された（ユーザとのやりとりの結果などの）データをクライアント装置から受け取ることができる。
【０１０２】
１又はそれ以上のコンピュータのシステムは、動作時に特定の動作又は行動をシステムに実行させるソフトウェア、ファームウェア、ハードウェア又はこれらの組み合わせをシステムにインストールされることによってこれらの動作を実行するように構成することができる。１又はそれ以上のコンピュータプログラムは、データ処理装置によって実行された時にシステムに特定の動作又は行動を実行させる命令を含むことによってこれらの動作を実行するように構成することができる。
【０１０３】
本明細書は多くの特定の実装の詳細を含むが、これらの詳細を、いずれかの発明又は特許請求できるものの範囲を限定するものとして解釈すべきではなく、むしろ特定の発明の特定の実施形態に固有の特徴を説明するものとして解釈すべきである。本明細書において異なる実施形態を背景として説明したいくつかの特徴を、単一の実施形態において組み合わせて実現することもできる。逆に、単一の実施形態を背景として説明した様々な特徴を、複数の実施形態において別個に、又はいずれかの好適な部分をさらに組み合わせて実現することもできる。さらに、上記ではいくつかの組み合わせで機能するように特徴を説明し、最初はこのように特許請求していることもあるが、場合によっては、特許請求する組み合わせから生じる１又はそれ以上の特徴をこれらの組み合わせから削除することもでき、特許請求する組み合わせを下位の組み合わせ又は下位の組み合わせの変形例に向けることもできる。
【０１０４】
同様に、図面には特定の順序で動作を示しているが、これについて、望ましい結果を達成するためにこのような動作を図示の特定の順序又は順番で実施し、又は図示の動作を全て実施する必要があると理解すべきではない。状況によっては、マルチタスク及び並行処理が有利な場合もある。さらに、上述した実施形態において様々なシステムコンポーネントを分離していても、このような分離が全ての実施形態において必要であると理解すべきではなく、説明したプログラムコンポーネント及びシステムを単一のソフトウェア製品に一般的に統合し、又は複数のソフトウェア製品にパッケージ化することもできると理解されたい。
【０１０５】
以上、本発明の特定の実施形態について説明した。他の実施形態は、以下の特許請求の範囲に含まれる。場合によっては、特許請求の範囲に記載した動作を異なる順序で実行しても望ましい結果を得ることができる。また、望ましい結果を達成するために、添付の図に示した処理を必ずしも図示の特定の順序又は順番で行う必要はない。実装によっては、マルチタスク及び並行処理が有利な場合もある。
【符号の説明】
【０１０６】
１０４  スタンド
２００  フレーム
２０２  カードリーダ
２０２ａ  スロット
２０２ｂ  上面
２０４  前部
２０６  底部
２０８  後部
２２０  クレードル
２２２  縁部
２２４  凹状領域
２２６  底縁部
２３０  データコネクタ
２３２  第１の側端部
２４０  ピン
２４２  第２の側端部
【図１】
0006043866.tif 000002
【図２】
0006043866.tif 000003
【図３】
0006043866.tif 000004
【図４】
0006043866.tif 000005
【図５】
0006043866.tif 000006
【図６】
0006043866.tif 000007
【図７Ａ】
0006043866.tif 000008
【図７Ｂ】
0006043866.tif 000009
【図８】
0006043866.tif 000010
【図９】
0006043866.tif 000011
【図１０】
0006043866.tif 000012
【図１１】
0006043866.tif 000013
【図１２】
0006043866.tif 000014
【図１３Ａ】
0006043866.tif 000015
【図１３Ｂ】
0006043866.tif 000016
【図１４】
0006043866.tif 000017
【図１５Ａ】
0006043866.tif 000018
【図１５Ｂ】
0006043866.tif 000019
【図１５Ｃ】
0006043866.tif 000020
【図１６】
0006043866.tif 000021
【図１７】
0006043866.tif 000022
【図１８】
0006043866.tif 000023
【図１９】
0006043866.tif 000024